(57)【要約】      （修正有）【課題】印刷物やシールを用いることなく、商品情報を表示することにより、販売に要するコストを抑えることが可能な商品陳列用具を提供する。【解決手段】商品を陳列するために用いられる樹脂製の商品陳列用具であって、陳列用具本体と、陳列用具本体と一体形成され、陳列用具本体の一部から延設される平板状の表示部１４とからなり、表示部には表示部を貫通する透孔１５により形成した商品情報が表示されるようにした。陳列用具本体は、ベース板１１と、ベース板１１の後面側から延設され陳列棚や陳列ボードに固定するための固定部と、ベース板１１の前面側から延設され被陳列品が吊り下げられる吊下げ部とを備えた吊下げ具であり、ベース板１１の一部または吊下げ部の一部から表示部１４が延設される。【選択図】図２
0003217981.tif 000002
【実用新案登録請求の範囲】
【請求項１】
商品を陳列するために用いられる樹脂製の商品陳列用具であって、陳列用具本体と、前記陳列用具本体と一体形成され、当該陳列用具本体の一部から延設される平板状の表示部とからなり、前記表示部には当該表示部を貫通する透孔により形成した商品情報が表示されることを特徴とする商品陳列用具。
【請求項２】
前記陳列用具本体は、ベース板と、前記ベース板の後面側から延設され陳列棚や陳列ボードに固定するための固定部と、前記ベース板の前面側から延設され被陳列品が吊り下げられる吊下げ部とを備えた吊下げ具であり、前記ベース板の一部または前記吊下げ部の一部から前記表示部が延設される請求項１に記載の商品陳列用具。
【請求項３】
前記陳列用具本体が、被陳列品を保持する保持部が連結された鉤状のフックであり、前記保持部の一部または前記フックの一部から表示部が延設される請求項１に記載の商品陳列用具。
【請求項４】
前記陳列用具本体が、衣服を掛けるアームと、前記アームの中央付近から上方に延設する鉤状のフックとからなるハンガーであり、前記フックの一部、または、前記フックと前記アームとの接続部分から前記表示部が延設される請求項１に記載の商品陳列用具。
【考案の詳細な説明】
【技術分野】
【０００１】
本考案は、店舗等において、商品の陳列・展示の際に用いる樹脂製の商品陳列用具に関する。また、本考案は商品の陳列とともに、その商品に関するサイズ、規格、価格、等級、製造者名、販売者名、商標、ロゴマーク等の商品情報の一部について簡単な表示を行う商品陳列用具に関する。
【０００２】
ここで、本考案の樹脂製の商品陳列用具には、店舗等で商品を吊り下げて陳列するために陳列棚・陳列ボード等に固定されるロッド形状等の吊下げ具、あるいは、吊下げ具に商品を引っ掛けて吊り下げるため、商品や商品包装袋に取り付けられるフックが含まれる。
また、シャツや靴等の商品の一部に引っ掛けて価格等の商品情報を表示するクリップ、衣服を吊り下げて陳列するためのハンガー等も含まれる。
【背景技術】
【０００３】
店舗では、商品や商品を入れた包装袋（これらを被陳列品とも称する）を陳列、展示するための様々な商品陳列用具が使用されている。例えば、商品が衣服であれば、鉤状のフックと衣服を掛けるアームとが一体にしてあるハンガーが使用される。また、靴下、ハンカチ、事務用品、アクセサリー等の小物商品であれば、鉤状のフックを取り付けた商品包装袋にこれらの商品を入れ、この商品包装袋を被陳列品として、陳列棚に固定した棒状の吊下げ具に引っ掛けた状態で陳列するようにしている。
上述したハンガー、フック、吊下げ具等の商品陳列用具は、樹脂材による射出成型加工にて低価格で量産することができるので、樹脂製の製品が多数製造されている。
【０００４】
また、これらの商品陳列用具を使用する際に、商品名、サイズ、品質、価格等の商品に関する情報を表示することも行われている。
例えばハンガーのような比較的大きな陳列用具では、ハンガーのフックとアームの連結部分の近傍に、衣服のサイズ等を表示するための表示面を有する表示具を取り付けるための表示具取付部を設け、表示面に印刷やシール貼着によりサイズ等を表示した表示具を着脱できるようにしたハンガーが開示されている（特許文献１参照）。
【０００５】
また、靴下等の小物商品の陳列では、商品が内蔵される包装袋の一部に、商品に関する情報を表示することがなされている。例えば、フックが固定されたシート状部材に靴下が２つ折りにして挟持され、このシート部材の一部に商品情報を表示する表示部が設けられ、フックで吊下げた状態で表示部が靴下の正面に現れるようにした靴下吊り下げ具が開示されている（特許文献２参照）。
【０００６】
また、商品を並べて吊り下げる棒状の吊下げ具の近傍（直上）に、価格等の商品情報を表示する表示具を設けておき、その吊下げ具に引っ掛けて陳列される商品に関する商品情報を、近傍に設けた表示具に表示するようにした商品陳列用吊下げ具も開示されている（特許文献３参照）。
【先行技術文献】
【特許文献】
【０００７】
【特許文献１】実用新案登録第３１５２２２２号公報
【特許文献２】特開２０１０−２００９７２号公報
【特許文献３】実用新案登録第３１９１１１３号公報
【考案の概要】
【考案が解決しようとする課題】
【０００８】
上述したように、従来の商品陳列用具では、商品陳列用具の一部、あるいは、商品陳列用具により吊下げられる包装袋の一部に商品情報を表示するための領域を設け、サイズ、価格等のような商品情報を、直接印刷したり、商品情報が印刷されたシールを貼り付けたりすることで商品情報を表示することが行われていた。これら印刷物やシールによる商品情報の表示は、顧客の視覚に訴えやすく、多くの商品情報を表示できる点で優れている。
【０００９】
しかしながら、印刷やシールにより商品情報を表示する場合、商品陳列用具自体を製造するためのコスト、労力に加えて、商品情報を印刷した印刷物、シール等を作成する必要があった。さらに、これらの印刷物やシールを、商品陳列用具の表示部や包装袋に貼り付けたりする手間も要することになる。
したがって、印刷物やシールを用いずに、必要な商品情報を商品陳列用具に表示することができれば販売原価を削減することができることになる。
【００１０】
また、商品によっては、顧客が特に必要とする簡単な情報だけを目立つように表示したい場合がある。例えば、靴下、シャツ等の商品は、価格、品質、サイズ、商品名、製造メーカ等の多くの商品情報が包装袋等に表示されて陳列されていることが多いが、サイズ以外は同一内容の商品を、並べて陳列することがあり、それらの商品情報のうち、サイズ情報（例えばＳ，Ｍ，Ｌ、ＬＬの文字で表示）だけを特に目立つ位置に、他の商品情報とは別に表示することが望ましい。
【００１１】
そこで、本考案は、第一に、印刷物やシールを用いることなく、商品情報を表示することにより、販売に要するコストを抑えることが可能な商品陳列用具を提供することを目的とする。
また、本考案は、第二に、表示する商品情報が多い商品の場合に、顧客が特に必要とする情報だけを、従来とは異なる形状で目立つように表示することができる商品陳列用具を提供することを目的とする。
【課題を解決するための手段】
【００１２】
上記課題を解決するためになされた本考案の商品陳列用具は、商品を陳列するために用いられる樹脂製の商品陳列用具であって、陳列用具本体と、前記陳列用具本体と一体形成され、当該陳列用具本体の一部から延設される平板状の表示部とからなり、前記表示部には当該表示部を貫通する透孔により形成した商品情報が表示されるようにしてある。
ここで、商品情報とは、文字、記号、数字、マーク等で構成され、商品サイズ、規格、価格、等級、製造者名、販売者名、商標、ロゴマークなどの情報をいう。
【００１３】
本考案によれば、樹脂製の陳列用具本体の一部に、平板状の表示部が一体に形成されており、平板状の表示部には、これを貫通する透孔（抜け孔）によって文字、数字等を描くことで商品情報が表示される。
また、本考案では、陳列用具に樹脂が用いられる。樹脂材は金型を用いた射出成型加工によって、所望の形状に加工することができ、その一部に透孔も同時に形成することができる。したがって、陳列用具本体、および、陳列用具本体と一体形成される表示部、表示部に透孔により形成する商品情報を射出成型で一括して加工するようにして、射出成型のみで商品陳列用具に商品情報を描くことによりコストを抑えるようにする。
【考案の効果】
【００１４】
本考案によれば、印刷物やシールを用いることなく、樹脂製の商品陳列用具のみで、本来の商品陳列用具としての機能とともに、簡単な商品情報を表示する機能を実現することができるようになり、製造コスト、製造時間、販売原価を低く抑えることができる。
また、本考案によれば、陳列用具本体の所望の場所に、平板状の表示部をワンポイント模様のように設けることができるので、陳列用具本体の目立ちやすい場所に表示部を形成することで顧客の眼をひくことができる。さらに、透孔で形成された文字等で商品情報を表示するので、透孔以外の表示部の表面との反射光量の差によって明確に文字等を浮かび上がらせることができ、この点からも顧客の眼をひくことができる。
【００１５】
上記考案において、前記陳列用具本体は、ベース板と、前記ベース板の後面側から延設され陳列棚や陳列ボードに固定するための固定部材と、前記ベース板の前面側から延設され被陳列品が吊り下げられる吊下げ部とを備えた吊下げ具であり、前記ベース板の一部または前記吊下げ部の一部から前記表示部が延設されるようにしてもよい。
より具体的には、ベース板の前面から延設される吊下げ部の位置よりも上方のベース板の位置（例えばベース板の上側面）に表示部が形成されるようにすれば、吊り下げた商品に隠れることなく、目立つ位置に表示部を形成することができる。
【００１６】
上記考案において、前記陳列用具本体が、被陳列品を固定して保持する保持部が連結された鉤状のフックであり、前記保持部の一部または前記フックの一部から表示部が延設されるようにしてもよい。
【００１７】
上記考案において、前記陳列用具本体が、衣服を掛けるアームと、前記アームの中央付近から上方に延設される鉤状のフックとからなるハンガーであり、前記フックの一部、または、前記フックと前記アームとの接続部分から前記表示部が延設されるようにしてもよい。
【図面の簡単な説明】
【００１８】
【図１】本考案に係る商品陳列用具の一実施例である吊下げ具を示す側面図。
【図２】図１に示す商品陳列用具（吊下げ具）の正面図。
【図３】図１に示す商品陳列用具（吊下げ具）の使用状態を示す図。
【図４】本考案に係る商品陳列用具の他の一実施例であるフックを示す正面図。
【図５】図４に示す商品陳列用具（フック）の使用状態を示す図。
【図６】本考案に係る商品陳列用具の他の一実施例であるフックを示す正面図。
【図７】本考案に係る商品陳列用具の他の一実施例であるフックを示す正面図。
【図８】本考案に係る商品陳列用具の他の一実施例であるフックを示す正面図。
【図９】本考案に係る商品陳列用具の他の一実施例であるハンガーを示す正面図。
【考案を実施するための形態】
【００１９】
以下、本考案の実施形態について図面を用いて説明する。なお、本考案は、以下に説明するような実施形態に限定されるものではなく、本考案の趣旨を逸脱しない範囲で種々の態様が含まれる。
【００２０】
図１は本考案に係る商品陳列用具の一実施例である吊下げ具１０の側面図であり、図２はその正面図であり、図３はその使用状態を示す図である。
この吊下げ具１０は、素材としてポリプロピレン、ポリエチレン、ＰＥＴ等の合成樹脂材が使用され、金型を用いた射出成型により一体成型される（後述する図４〜９の商品陳列用具についても同様の素材が使用される）。
【００２１】
吊り下げ具１０は、ベース板１１と、ベース板１１の後面側から延設され、店舗に設置されている陳列ボードＢに形成された取付用の角孔Ｂａに挿入して固定するための固定部１２と、ベース板１１の前面側から前方に延設され、商品や商品包装袋のような被陳列品が吊り下げられるロッド状の吊下げ部１３とからなる。吊下げ部１３の先端には上方に曲げられた屈曲部１３ａが設けてあり、吊下げ部１３に引っ掛けられた被陳列品が落下しにくいようにしてある。吊下げ具１０は、陳列ボードＢに固定された状態でベース板１１の前面および側面が陳列ボードＢの前に配置されるので顧客から見える位置に現れ、ベース板１１の後面および固定部１２が陳列ボードＢで隠れるようになる。
【００２２】
ベース板１１の上側面には、平面状の表示部１４が延設してあり、表示部１４を貫通する透孔１５（抜け孔）によって商品に関する情報（本実施例では「１００」の数字）が表示してある。このベース板の上側面から延設する表示部１４は吊下げ部１３に被陳列品が吊り下げられた状態でも隠れることのない位置であり、顧客はこの吊下げ部１３に吊り下げられた商品の価格が「１００円」であったり、商品の長さが「１００ｃｍ」であったりすることを認識することができる。
【００２３】
なお、吊下げ具１０を製造する金型は、透孔１５を形成する部分を、交換可能な入れ子式構造の金型にすることにより、透孔１５で表示する文字、数字だけを簡単に入れ替えて製造することができるようになる。
【００２４】
また、上記実施例では吊下げ部１３は先端部分を屈曲させたロッド状にしているが、安定して商品を吊り下げることができる吊下げ部１３であれば、形状はこれに限られず、例えば曲線状の吊下げ部であってもよい。
【００２５】
図４は、本考案の他の一実施例であるフック２０を示す正面図である。図５はフック２０の使用状態を示す図である。
【００２６】
フック２０は、フック本体２１、２２と、フック本体２１、２２に連結され、被陳列品を保持する保持部２３、２４が形成された鉤状のフック２０である。フック本体２１（主側）とフック本体２２（副側）とは薄肉部２５で接続され、この薄肉部２５で折り返すことができるようにしてある。フック本体２１の端部に連結される保持部２３とフック本体２２の端部に連結される保持部２４とは、雌雄関係をなすホック型の留め具構造としてあり、薄肉部２５で折り返すことにより図５に示す状態で商品包装袋Ｓ（被陳列品）を挟持できるようにしてある。
【００２７】
フック本体２１（主側）には、その鉤状部分の外側に向けて表示部２６が延設され、表示部２６を貫通する透孔２７（抜け孔）によって商品に関する情報（本実施例では「ＬＬ」の文字）が表示してある。このフック本体２１から延設される表示部２６は、例えば図１で示した吊下げ部１３に商品包装袋Ｓ（被陳列品）が吊り下げられた状態でも隠れることのない位置であり、顧客はこのフック２０に保持された商品のサイズが「ＬＬ」であることを認識することができる。
【００２８】
図６、図７は、図４で示したフック２０において、表示部２６の位置を変えた変形実施例である。図６のフック２８では表示部２６をフック本体２１の最上部に取り付けてある。図７のフック２９では表示部２６を保持部２３の一部に取り付けてある。
【００２９】
このように表示部２６の位置を種々選択でき、また、複数の位置に表示部２６を並べて形成することもできる。
【００３０】
図８は、本考案の他の一実施例であるフック３０の正面図である。このフック３０は紙ヘッダーＴに取り付けて使用するフックである。すなわち、フック３０はフック本体３１と、フック本体３１に連結され被陳列品（ここでは紙ヘッダーＴ）を保持する保持部３２とからなる。フック本体３１は鉤状をなす。保持部３２は溝３３が形成してあり、紙ヘッダーＴに形成された挿入孔Ｔａに差し込まれることにより、紙ヘッダーＴが保持される。
フック本体３１には鉤状部分の外側に向けて表示部３４が延設され、表示部３４を貫通する透孔３５（抜け孔）によって商品に関する情報（本実施例では「ＬＬ」の文字）が表示してある。顧客はこのフック３０に保持された商品のサイズが「ＬＬ」であることを認識することができる。
【００３１】
図９は、本考案の他の一実施例であるハンガー４０の正面図である。ハンガー４０は衣服が掛けられるアーム４１と、アーム４１から上方に延設される鉤状のフック４２とからなる。フック４２は重心バランスがとれるようにするため、アーム４１の中央付近に設けてある。そしてフック４２には鉤状部分の外側に向けて表示部４３が延設され、表示部４３を貫通する透孔４４（抜け孔）によって商品に関する情報（本実施例では「ＬＬ」の文字）が表示してある。顧客はこのハンガー４０に掛けられた商品のサイズが「ＬＬ」であることを認識することができる。
なお、図９の実施例に代えて表示部４３をアーム４１とフック４２との接続部分近傍に設けてもよい。
【産業上の利用可能性】
【００３２】
本考案は、吊下げ具、フック、ハンガー等の商品陳列用具に利用することができる。
【符号の説明】
【００３３】
１０  吊下げ具
１１  ベース板
１２  固定部
１３  吊下げ部
１４  表示部
１５  透孔（抜き孔）
２０  フック
２１  フック本体（主側）
２２  フック本体（副側）
２３  保持部（雄体）
２４  保持部（雌体）
２６  表示部
２７  透孔（抜き孔）
２８、２９、３０  フック
３１  フック本体
３２  保持部
３３  溝
３４  表示部
３５  透孔（抜き孔）
４０  ハンガー
４１  アーム
４２  フック
４３  表示部
４４  透孔（抜き孔）
【図１】
0003217981.tif 000003
【図２】
0003217981.tif 000004
【図３】
0003217981.tif 000005
【図４】
0003217981.tif 000006
【図５】
0003217981.tif 000007
【図６】
0003217981.tif 000008
【図７】
0003217981.tif 000009
【図８】
0003217981.tif 000010
【図９】
0003217981.tif 000011